(57)【要約】【課題】伝票の登録漏れを防止することができる。【解決手段】伝票１００の代行収納の受付開始時に伝票１００の受付枚数を登録するタッチパネル２７Ａと、伝票１００の当該支払情報を読取るスキャナ３１と、このスキャナ３１で読取った伝票１００の当該支払情報が登録可能かを判断する（ＳＴ１５）と、伝票１００の登録枚数を登録表示する（ＳＴ１６）と、受付枚数と登録枚数とを比較する（ＳＴ２１）と、受付枚数と登録枚数とが不一致の場合、エラーメッセージを出力する（ＳＴ２４）。【選択図】      図４
2008234033.tif 000002
【特許請求の範囲】
【請求項１】
伝票に印刷された支払情報について当該支払情報の登録を含む代行収納データ処理を実行可能な代行収納データ処理装置において、前記伝票の受付開始時に前記伝票の受付枚数を登録する登録手段と、前記伝票の当該支払情報を読取る支払情報読取手段と、この支払情報読取手段で読取った前記伝票の当該支払情報が登録可能か否かを判断する支払情報登録判断手段と、この支払情報登録判断手段が登録可能な前記伝票の登録枚数を表示する登録枚数表示手段と、前記受付枚数と前記登録枚数とを比較する枚数比較手段と、この枚数比較手段により比較された前記受付枚数と前記登録枚数とが不一致の場合には、エラーメッセージを出力するエラーメッセージ出力手段とを有することを特徴とする代行収納データ処理装置。
【請求項２】
前記エラーメッセージを解除するするエラーメッセージ解除手段と、前記伝票の前記受付枚数の再登録する登録手段とを有することを特徴とする請求項１記載の代行収納データ処理装置。
【請求項３】
前記エラーメッセージを解除するエラーメッセージ解除手段を有し、このエラーメッセージが解除されると、前記受付枚数を自動減算処理が実行されることを特徴とする請求項１記載の代行収納データ処理装置。
【請求項４】
伝票に印刷された支払情報について当該支払情報の登録を含む代行収納データ処理を実行可能な代行収納データ処理装置において、前記伝票の受付開始時に前記伝票の受付枚数を登録する登録手段と、前記伝票の当該支払情報を読取る支払情報読取手段と、この支払情報読取手段で読取った前記伝票の当該支払情報が登録可能か否かを判断する支払情報登録判断手段と、この支払情報登録判断手段が登録可能な前記伝票の登録枚数を表示する登録枚数表示手段と、前記受付枚数と前記登録枚数とを比較する枚数比較手段と、この枚数比較手段により比較された前記受付枚数と前記登録枚数とが一致の場合には、受領証を印刷発行する受領証印刷発行手段とを有することを特徴とする請求項１記載の代行収納データ処理装置。
【請求項５】
伝票に印刷された支払情報について当該支払情報の登録を含む代行収納データ処理を実行可能な代行収納データ処理装置における代行収納データ処理方法において、前記伝票の受付開始時に前記伝票の受付枚数を登録する登録ステップと、前記伝票の当該支払情報を読取る支払情報読取ステップと、前記伝票の当該支払情報が登録可能かを判断する支払情報登録判断ステップと、前記伝票の登録可能な場合に登録枚数を表示する登録枚数表示ステップと、前記受付枚数と前記登録枚数とを比較する枚数比較ステップと、前記受付枚数と前記登録枚数とが不一致の場合には、エラーメッセージを出力するエラーメッセージ出力ステップとを有することを特徴とする代行収納データ処理方法。
【請求項６】
さらに、前記エラーメッセージをクリアするクリアステップと、前記伝票の前記受付枚数の再登録する登録ステップとを有することを特徴とする請求項５記載の代行収納データ処理方法。
【請求項７】
さらに、前記エラーメッセージをクリアするクリアステップと、前記伝票の前記受付枚数を減算する減算ステップとを有することを特徴とする請求項５記載の代行収納データ処理方法。
【請求項８】
伝票に印刷された支払情報について当該支払情報の登録を含む代行収納データ処理を実行可能な代行収納データ処理装置において、前記伝票の受付開始時に前記伝票の受付枚数を登録する登録ステップと、前記伝票の当該支払情報を読取る支払情報読取ステップと、前記伝票の当該支払情報が登録可能かを判断する支払情報登録判断ステップと、登録可能な前記伝票の登録枚数を表示する登録枚数表示ステップと、前記受付枚数と前記登録枚数とを比較する枚数比較ステップと、前記受付枚数と前記登録枚数とが一致の場合には、受領証が印刷発行される印刷発行ステップとを有することを特徴とする代行収納データ処理方法。
【発明の詳細な説明】
【技術分野】
【０００１】
本発明は、支払取扱票（以下、伝票）等に印刷された支払情報について当該支払情報の登録を含む代行収納データ処理をするＰＯＳ（Point Of Sales）ターミナル等の代行収納データ処理装置および代行収納データ処理方法に関する。
【背景技術】
【０００２】
従来、伝票の支払金額の代行収納は、コンビニエンスストア等で処理されることが多い。コンビニエンスストア等では、代行収納する場合、伝票の受付枚数を意識せずに払込金額をＰＯＳターミナルで登録し、すべての伝票の払込受領証に受領印を捺印して、お客に払込受領証を渡していた。
【０００３】
また、伝票に印刷された支払金額の登録を含む代行収納データ処理を実行する場合に、支払金額の登録日時およびスタンプにより伝票に代行収納済である旨を証する捺印をした日時をメモリにそれぞれに記憶可能にし、メモリに記憶されている支払金額の登録日時とスタンプ捺印日時とを対応させて出力される代行収納データ処理装置が知られている。（たとえば、特許文献１参照）。
【特許文献１】特開２００２−１９００６７号公報
【発明の開示】
【発明が解決しようとする課題】
【０００４】
従来、受領証明を払込金受領証で行っていた。そのためＰＯＳターミナルによる登録漏れに気が付かずに持ち込まれたすべての伝票に受領印を捺印してお客に渡すため、受領漏れによる会計不一致が発生していた。
【０００５】
また、特許文献１には、人的な不正行為について説明されているが、本発明の伝票の受付枚数と登録枚数をチェックする内容については記載されていない。
【０００６】
本発明の目的は、伝票の受付枚数と登録枚数をチェックすることにより伝票の登録漏れを防ぐことが可能な代行収納データ処理装置および代行収納データ処理方法を提供しようとするものである。
【課題を解決するための手段】
【０００７】
本発明に係る代行収納データ処理装置は、前記伝票の受付開始時に前記伝票の受付枚数を登録する登録手段と、前記伝票の当該支払情報を読取る支払情報読取手段と、この支払情報読取手段で読取った前記伝票の当該支払情報が登録可能か否かを判断する支払情報登録判断手段と、この支払情報登録判断手段が登録可能な前記伝票の登録枚数を表示する登録枚数表示手段と、前記受付枚数と前記登録枚数とを比較する枚数比較手段と、この枚数比較手段により比較された前記受付枚数と前記登録枚数との枚数が不一致の場合には、エラーメッセージを出力するエラーメッセージ出力手段とを有することを特徴とする。
【０００８】
また、本発明に係る代行収納データ処理方法は、前記伝票の受付開始時に前記伝票の受付枚数を登録する登録ステップと、前記伝票の当該支払情報を読取る支払情報読取ステップと、前記伝票の当該支払情報が登録可能かを判断する支払情報登録判断ステップと、前記伝票の登録可能な場合に登録枚数を表示する登録枚数表示ステップと、前記受付枚数と前記登録枚数とを比較する枚数比較ステップと、前記受付枚数と前記登録枚数とが不一致の場合には、エラーメッセージを出力するエラーメッセージ出力ステップとを有することを特徴とする。
【発明の効果】
【０００９】
本発明によれば、伝票の受付枚数と登録枚数とをチェックすることで、受領漏れを防ぐことができる。また、受領証を発行し、持ち込まれた払込受領証と対で受領証明することで、受領漏れを防ぐことができる。
【発明を実施するための最良の形態】
【００１０】
以下、本発明の一実施の形態について図面を参照して説明する。
【００１１】
図１は、本実施の形態に係る代行収納データ処理装置の要部構成を示すＰＯＳターミナル１１のブロック図である。
【００１２】
図１に示すように、ＰＯＳターミナル１１は、制御部本体を構成するＣＰＵ(Central Processing Unit)１２に、プログラム等を格納したＲＯＭ（Read Only Memory）１３、各種のデータを記憶するＲＡＭ（Random Access Memory）１４、現在の日付および時刻を計時する時計部１５、ＬＡＮ（Local Area Network）コントローラ１６、ＨＤＤ（Hard Disc Drive）コントローラ１７、キーボードコントローラ１８、タッチパネルコントローラ１９、ディスプレイコントローラ２０、プリンタコントローラ２１、Ｉ／Ｏポート２２、スキャナインタフェース（Ｉ／Ｆ）２３等をバスライン２４で接続した制御回路を内蔵している。
【００１３】
そして、ＨＤＤコントローラ１７にＨＤＤ装置２５と、キーボードコントローラ１８にキーボード２６と、タッチパネルコントローラ１９にタッチパネル付ディスプレイ２７のタッチパネル２７Ａとディスプレイ２７Ｂと、ディスプレイコントローラ２０に客用ディスプレイ２８と、プリントコントローラ２１にプリンタ２９と、Ｉ／Ｏポート２２に自動開放型のドロワ３０と、スキャナＩ／Ｆ２３にスキャナ３１とを接続している。
【００１４】
キーボードコントローラ１８は、キーボード２６から操作されたキーに対応するキー信号を取り込みＣＰＵ１２に知らせる。タッチパネルコントローラ１９は、ＣＰＵ１２からの指令によりディスプレイ２７Ｂに各種の画面を選択的に表示させるとともに、タッチパネル２７Ａの信号が取り込まれタッチ位置座標を求めてＣＰＵ１２に知らせる。ディスプレイコントローラ２０は、表示データに対応した文字等を客用ディスプレイ２８に表示させる。プリントコントローラ２１は、プリンタ２９によるレシート印刷、受領証の印刷およびジャーナル印刷を制御する。スキャナＩ／Ｆ２３は、スキャナ３１にて読取られたバーコードデータを入力する。
【００１５】
以上のように構成されたＰＯＳターミナル１１は、商品販売データ処理装置としての商品登録機能、会計処理機能等および代行収納データ処理装置としての代行収納データ処理機能を有する。
【００１６】
図２は、キーボード２６の各種キーの配列を示す平面図である。このキーボード２６は、商品コードや金額等を入力するための［置数］キー２６Ａ、代行収納データ処理において登録締めを宣言するための［締め］キー２６Ｂ、公共料金の代行収納を宣言するための［公共料金］キー２６Ｃ、エラーメッセージ出力等をクリアする［クリア］キー２６Ｄ等の各種キーを配列した構成となっている。なお、図示した他の各種キーは、本実施の形態における特有の機能とは関係ないので、その説明を省略する。
【００１７】
図３は、本実施の形態の一例として代行収納に使用される伝票１００である。この伝票１００は、払込取扱票１０１、払込金受領票１０２および払込受領票１０３とからなる。払込取扱票１０１は、バーコード１０４が印刷されている。このバーコード１０４には、たとえば支払情報の内容として加入者名、口座番号、金額、請求書番号および払込人住所氏名等が記録されている。このバーコード１０４には、スキャナ３１で読取られた支払情報の内容をＰＯＳターミナル１１のＲＡＭ１４にデータとして記憶される。
【００１８】
図４はＣＰＵ１２がＲＯＭ１３に格納されているプログラムによって実行する代行収納データ処理を示すフローチャートである。
【００１９】
まず、オペレータは、代行収納データ処理を宣言するために、図２に示すキーボード２６の［公共料金］キー２６Ｃを押下すと、ＳＴ（ステップ）１１としてＣＰＵ１２は、タッチパネル付ディスプレイ２７のディスプレイ２７Ｂに、たとえば図５に示す受付枚数登録ＰＯＰＵＰ（ホップアップ）１１０画面を表示させる。この受付枚数登録ＰＯＰＵＰ１１０画面には、「０」〜「９」までの［置数］ボタン、受付枚数をＲＡＭ１４に記憶させる［登録］ボタン、［クリア］ボタン、［入力中止］ボタン等が表示されている。
【００２０】
ＳＴ１２としてタッチパネル付ディスプレイ２７のディスプレイ２７Ｂに表示された受付枚数登録ＰＯＰＵＰ１１０画面に伝票１００の受付枚数を［置数］ボタンでタッチ入力するとともに、［登録］ボタンをタッチ入力するとＣＰＵ１２は、伝票１００の受付枚数をＲＡＭ１３に記憶させて登録する（受付枚数登録手段）。さらに、ＳＴ１３としてＣＰＵ１２は、タッチパネル付ディスプレイ２７のディスプレイ２７Ｂに表示されたたとえば、図６に示す公共料金明細ＰＯＰＵＰ１２０画面に、伝票１００の受付枚数を表示させる（受付枚数表示手段）。
【００２１】
ＳＴ１４として伝票１００に印刷されているバーコード１０４をスキャナ３１でたとえば、上側の伝票１００から順次、バーコードを１つずつ読取る（支払情報読取手段）。伝票１００を読取る毎に以下の処理を実行する。
【００２２】
ＳＴ１５としてスキャナ３１で読取る伝票１００のバーコード１０４の支払情報であるバーコードデータが登録可能か否かを判断する（支払情報登録判断手段）。
【００２３】
ＳＴ１５ーＹＥＳとしてスキャナ３１で読取る伝票１００のバーコード１０４の支払情報が登録可能である場合には、ＳＴ１６として伝票１００のバーコード１０４を読取る毎にたとえば、図６に示す公共料金明細ＰＯＰＵＰ１２０画面に、伝票１００のバーコード１０４を読取る順に、支払情報としてたとえば、加入者名、口座番号、金額、請求書番号等をタッチパネル付ディスプレイ２７のディスプレイ２７Ｂ画面に表示させるとともに、登録枚数を加算させて表示する（登録枚数表示手段）。
【００２４】
ＳＴ１５ーＮＯとしてスキャナ３１で読取った伝票１００の支払情報が登録可能でない場合には、伝票１００の支払情報からたとえば、期限切れや取扱不可の加入者名のときにはＳＴ１７としてたとえば、図７に示すエラーＰＯＰＵＰ１３０画面にエラーメッセージ出力が表示される（エラーメッセージ表示手段）。このエラーＰＯＰＵＰ１３０画面には、［クリア］、［入力中止］、［受付終了］等の各ボタンが形成されている。
【００２５】
ＳＴ１８としてエラーメッセージを解除させるためエラーＰＯＰＵＰ１３０画面の［クリア］ボタン（エラーメッセージ解除手段）がタッチ入力されたと認識した場合には、ＳＴ１９として登録された受付枚数から１枚の減算処理が実行される。
【００２６】
ＳＴ２０としてＣＰＵ１２は、エラーＰＯＰＵＰ１３０画面の［入力中止］ボタンがタッチ入力されたと認識した場合には、ＳＴ２１に進む。
【００２７】
ＳＴ２１としてＣＰＵ１２は伝票１００の受付枚数と読取った伝票１００の登録枚数との枚数を比較する（枚数比較手段）。
【００２８】
ＳＴ２１ーＹＥＳの場合、伝票１００の受付枚数と登録枚数とが一致のときにはＳＴ２２としてキーボード２６の締キー２６Ｂを押下して登録締め処理を実行する。
【００２９】
ＳＴ２３としてＣＰＵ１２は、プリンタ２９を駆動させスキャナ３１で読取った伝票１００の支払情報等が印刷された受領証を発行する（受領証印刷発行手段）。
【００３０】
ＳＴ２１ーＮＯの場合、伝票１００の受付枚数と登録枚数とが不一致のときには、ＳＴ２４としてたとえば、図７に示すエラーＰＯＰＵＰ１３０画面にエラーメッセージが表示される（エラーメッセージ表示手段）。
【００３１】
ＳＴ２５としてＣＰＵ１２は、エラーメッセージを解除させるためエラーＰＯＰＵＰ１３０画面のクリアボタン（エラーメッセージ解除手段）をタッチ入力されたと認識した場合には、ＳＴ１２に戻り、図５に示す受付枚数登録ＰＯＰＵＰ（ホップアップ）１１０画面で伝票１００の受付枚数を再登録させる。
【００３２】
以上、本実施の形態の構成において、代行収納に使用する伝票１００の受付枚数と登録枚数とをチェックすることで伝票の登録漏れを防ぐことができる。また、代行収納データ処理装置の発行する受領証と持ち込まれた払込受領証と対で受領証明とすることで、受領漏れを防ぐことができる。
【００３３】
以上説明したように、本発明は前記実施の形態に限定されるものではなく、実施の段階ではその趣旨を逸脱しない範囲で種々に変形することが可能であるのは勿論である。
【図面の簡単な説明】
【００３４】
【図１】本発明の一実施の形態に係るＰＯＳターミナルの要部構成を示すブロック図。
【図２】本実施の形態に係るキーボードの一例を示す平面図。
【図３】本実施の形態における伝票の一例を示す図。
【図４】本実施の形態の代行収納データ処理を示すフローチャート。
【図５】本実施の形態における受付枚数登録ＰＯＰＵＰの一例を示す図。
【図６】本実施の形態における公共料金明細ＰＯＰＵＰの一例を示す図。
【図７】本実施の形態におけるエラーメッセージＰＯＰＵＰの一例を示す図。
【符号の説明】
【００３５】
１１…ＰＯＳターミナル（代行収納データ処理装置）、１２…ＣＰＵ、１３…ＲＯＭ、１４…ＲＡＭ、２６…キーボード、２７…タッチパネル付ディスプレイ、２７Ａ…タッチパネル、２７Ｂ…ディスプレイ、２９…プリンタ、３１…スキャナ、１００…伝票、１０１…払込取扱証、１０２…払込金受領証、１０３…払込受領証、１０４…バーコード（支払情報）ＳＴ１５…支払情報登録判断手段、ＳＴ１６…登録枚数表示手段、ＳＴ１７、ＳＴ２４…エラーメッセージ表示手段、ＳＴ１８、ＳＴ２５…エラーメッセージ解除手段、ＳＴ２１…枚数比較手段、ＳＴ２３…受領証印刷発行手段。
【図１】
2008234033.tif 000003
【図２】
2008234033.tif 000004
【図３】
2008234033.tif 000005
【図４】
2008234033.tif 000006
【図５】
2008234033.tif 000007
【図６】
2008234033.tif 000008
【図７】
2008234033.tif 000009